(57)【要約】      （修正有）【課題】背当の傾きが座当の傾き角度に影響を受けずに、使用者の重心を安定して保持することができる、座当角度保持装置を提供する。【解決手段】前後にあるラグ部２１と組付台２２と連接台２３とを含む座当角度保持装置において、前後にある前記ラグ部は、座当の下面に設けられたベースに設けられ、前記組付台は座当チューブに結合され、両側の壁面の前後には下傾き溝２２１がそれぞれ開設され、前後にある下傾き溝が前後ラグ部に対応しており、前後にある下傾き溝の間に調整溝２２２が開設され、前記連接台は一端が背当１３に結合されて、その前端に位置決め穴２３１が開設されており、その後端に上傾き溝が開設されており、前記調整溝に前記位置決め穴を合せ、後にある下傾き溝に上傾き溝２３２を合せて枢軸Ａを挿通して枢支されている。【選択図】図１
0003144627.tif 000002
【実用新案登録請求の範囲】
【請求項１】
座当の下面に設けられたベースに設けられており、前後ラグ部と、組付台と、連接台と、を含む椅子の座当角度保持装置において、
前後にある前記ラグ部は、座当の下面に設けられたベースに設けられており、その上では貫通孔が開設されており、
前記組付台は、座当チューブに結合されており、両側の壁面の前後には下傾き溝がそれぞれ開設されており、前後にある前記下傾き溝が前記前後ラグ部に対応しており、枢軸によって前にある下傾き溝と前にあるラグ部が枢着され、前後にある前記下傾き溝の間に調整溝が開設されており、
前記連接台は、その一端が背当に結合されており、その前端に位置決め穴が開設されており、その後端に上傾き溝が開設されており、前記調整溝に前記位置決め穴を合せ、後にある前記下傾き溝に前記上傾き溝を合せた後、枢軸を挿通することによって、これらが枢着されるようになり、且つ前記位置決め穴と前記上傾き溝の間には組付台と結合するための枢着箇所が設けられていることを特徴とする
椅子の座当角度保持装置。
【請求項２】
前記組付台に開設された調整溝と連接台の組付箇所の下には位置決め片が設けられており、前記位置決め片には、回動によって弾性具の伸縮長さを調整する弾性調整ユニットが組み付けられており、前記弾性調整ユニットに嵌められている弾性具の主軸は、前記組付台に開設された調整溝を挿通している枢軸と結合していることを特徴とする、請求項１に記載の椅子の座当角度保持装置。
【考案の詳細な説明】
【技術分野】
【０００１】
本考案は、椅子の座当角度保持装置に関し、特に、背当の傾きが座当の傾き角度に影響しなく、使用者の重心を安定に保持することができる座当角度保持装置に関するものである。
【背景技術】
【０００２】
従来の事務用椅子は、座当傾き不能な椅子と、座当傾き可能な椅子と、に分けられ、なお、一般の座当傾き可能な椅子は、座当及び背当を有し、使用者が座当に座って背当の方向に傾いているときには、座当が背当と一緒に傾きになり、しかし、座当が傾きになったと、使用者は、重心が足部から背部に移転されて不安定になり、更に、椅子から倒れる可能性もある。
【考案の開示】
【考案が解決しようとする課題】
【０００３】
本考案の主な目的は、背当の傾きが座当の傾き角度に影響しなく、使用者は、重心が何時も安定に保持され、椅子から倒れることがなくなる椅子の座当角度保持装置を提供することにある。
【課題を解決するための手段】
【０００４】
本考案の請求項１に記載の椅子の座当角度保持装置によると、座当の下面に設けられたベースに設けられており、前後にあるラグ部と、組付台と、連接台と、を含む座当角度保持装置において、前後にある前記ラグ部は、座当の下面に設けられたベースに設けられており、その上では貫通孔が開設されており、前記組付台は、座当チューブに結合されており、両側の壁面の前後には下傾き溝がそれぞれ開設されており、前後にある前記下傾き溝が前記前後ラグ部に対応しており、枢軸によって前にある下傾き溝と前にあるラグ部が枢着されるようになり、前後にある前記下傾き溝の間に調整溝が開設されており、前記連接台は、一端が背当に結合されており、その前端に位置決め穴が開設されており、その後端に上傾き溝が開設されており、前記調整溝に前記位置決め穴を合せ、後にある前記下傾き溝に前記上傾き溝を合せた後、枢軸を挿通することによって、これらが枢着されるようになり、且つ前記位置決め穴と前記上傾き溝の間には組付台と結合するための枢着箇所が設けられていることを特徴とする座当角度保持装置である。
【０００５】
本考案の請求項２に記載の椅子の座当角度保持装置によると、前記組付台に開設された調整溝と連接台の組付箇所の下には位置決め片が設けられており、前記位置決め片には、回動によって弾性具の伸縮長さを調整する弾性調整ユニットが組み付けられており、前記弾性調整ユニットに嵌められている弾性具の主軸は、前記組付台に開設された調整溝を挿通している枢軸と結合している。
【考案の効果】
【０００６】
本考案の座当角度保持装置によれば、次のような効果がある。
（１）組付台及び連接台に上下傾き溝を設けることにより、背当が傾いているときに連接台が連動され、組付台が上下傾き溝を摺動し、このように、背当の傾きが座当の傾き角度に影響しなく、使用者の重心を安定に保持することができる。
（２）背当の傾きが座当の傾き角度に影響しないので、使用者は、重心が何時も安定に保持され、椅子から倒れることがなくなる。
【考案を実施するための最良の形態】
【０００７】
以下、本考案の実施の形態を図面に基づいて説明する。
まず、図１乃至図３を参照する。図１は本考案に係る座当角度保持装置の斜視図であり、図２及び図３は本考案に係る座当角度保持装置の側面断面図である。本考案に係る座当角度保持装置２は、座当１の下面に設けられたベース１１に設けられており、前後にあるラグ部２１，２１と、組付台２２と、連接台２３と、を含む。
前後にある前記ラグ部２１，２１は、座当１の下面に設けられたベース１１に設けられており、その上では貫通孔２１１が開設されている。
【０００８】
前記組付台２２は、座当チューブ１２に結合されており、両側の壁面の前後には下傾き溝２２１，２２１がそれぞれ開設されており、前後にある前記下傾き溝２２１，２２１が前後にある前記ラグ部２２１，２２１に対応しており、枢軸Ａによって前にある下傾き溝２２１と前にあるラグ部２１が枢着されるようになり、前後にある前記下傾き溝２２１，２２１の間に調整溝２２２が開設されている。
前記連接台２３は、一端が背当１３に結合されており、その前端に位置決め穴２３１が開設されており、その後端に上傾き溝２３２が開設されており、前記調整溝２２２に前記位置決め穴２３１を合せ、後にある前記下傾き溝２２１に前記上傾き溝２３２を合せた後、枢軸Ａを挿通することによって、これらが枢着されるようになり、且つ前記位置決め穴２３１と前記上傾き溝２３２の間には組付台２２と結合するための枢着箇所２３３が設けられている。
【０００９】
次に、図２乃至図５を参照しながら本考案の組付方法を説明する。組付台２２の壁面に開設された前後にある下傾き溝２２１，２２１に、座当１の下面に設けられたベース１１の前後にあるラグ２１，２１を合せて、前後にあるラグ２１，２１及び前後にある下傾き溝２２１，２２１に枢軸Ａを挿通すると、これらが互いに枢着するようになり、且つ組付台２２に開設された調整溝２２２に、連接台２３の前端に開設された位置決め穴２３１を合せ、組付台２２に開設された後の下傾き溝２２１に、連接台２３の後端に開設された上傾き溝２３２を合せて、位置決め穴２３１と調整溝２２２とに枢軸Ａを挿通し、そして連接台２３と組付台２２の枢着箇所２３３によって、連接台２３と組付台２２の前端部が位置決められるようになり、その後、後のラグ部２１に開設された貫通孔２１１と、連接台２３に開設された上傾き溝２３２と、組付台２２に開設された下傾き溝２２１と、に別の枢軸Ａを挿通すると、これらが結合するようになり、次に、背当１３に連接台２３の他端を結合し、なお、組付台２２に開設された調整溝２２２と連接台２３の組付箇所では位置決め片２２３が設けられており、位置決め片２２３には、回動によって弾性具の２４１伸縮長さを調整する弾性調整ユニット２４が組み付けられており、弾性調整ユニット２４に嵌められている弾性具２４１の主軸２４２は、組付台２２に開設された調整溝２２２を挿通している枢軸Ａと結合している。
【００１０】
座当１が背当１３に垂直している状態は図２及び図４によって示した。なお、使用者が背当１３の方向に傾いているときには、背当１３が連接台２３を連動し、連接台２３に開設された調整溝２３２に挿通された枢軸Ａが下から上に移動されると共に、位置決め穴２３１に挿通された枢軸Ａが連動されて組付台２２に開設された調整溝２２２の上に移動され、なお、連接台２３の移動によって組付台２２が押上げられるので、前後の下傾き溝２２１，２２１により、枢軸Ａが前後の下傾き溝２２１，２２１の上から下に移動されるようになり、このように、座当１を水平状態に保持することができ、すなわち、背当１３の傾きが座当１の傾き角度に影響しないので、使用者は、重心が何時も安定に保持され、椅子から倒れることがなくなる。
【００１１】
このように、本考案が、特定の例を参照して説明されたが、それらの例は、説明のためだけのものであり、本考案を限定するものではなく、この分野に通常の知識を有する者には、本考案の精神および範囲を逸脱することなく、ここで開示された実施例に変更、追加、または、削除を施してもよいことがわかる。
【図面の簡単な説明】
【００１２】
【図１】本考案に係る座当角度保持装置の斜視図である。
【図２】本考案に係る座当角度保持装置の側面断面図１である。
【図３】本考案に係る座当角度保持装置の側面断面図２である。
【図４】本考案に係る座当角度保持装置の使用状態を示す概略図１である。
【図５】本考案に係る座当角度保持装置の使用状態を示す概略図２である。
【符号の説明】
【００１３】
１：座当、２：傾き装置、１１：ベース、１２：支持チューブ、１３：背当、２１：ラグ部、２２：組付台、２３：連接台、２４：弾力調整ユニット、２１１：貫通孔、２２１：下傾き溝、２２２：調整溝、２２３：位置決め片、２３１：位置決め穴、２３２：上傾き溝、２３３：枢着箇所、２４１：弾性具、２４２：主軸、Ａ：枢軸。
【図１】
0003144627.tif 000003
【図２】
0003144627.tif 000004
【図３】
0003144627.tif 000005
【図４】
0003144627.tif 000006
【図５】
0003144627.tif 000007